(57)【要約】【課題】  再生専用ホログラム媒体に特定の用途のためのデータ以外の画像情報を記録しておき、これを再生することにより面白みをもたせることができる再生専用ホログラム媒体用ドライブを提供する。【解決手段】  積層ホログラムＲＯＭ媒体（以下、媒体と記す。）１に記録された画像情報を含む情報を再生する再生専用ホログラム媒体用ドライブ５であって、媒体１の所望のコア層に光を入射させる光ヘッド６と、媒体１から出射する再生光を検出する光検出器７と、光検出器７の検出出力に基づいて媒体１から出射する再生光により画像情報以外の情報を再生する際に、該画像情報以外の情報の再生処理に先立ち、最初に該画像情報以外の情報に関連する画像情報を再生するように光ヘッド６を駆動制御する制御部９とを有する。【選択図】    図３
2005353197.tif 000002
【特許請求の範囲】
【請求項１】
コア層とクラッド層とが交互に積層され、前記コア層とクラッド層との境界に情報が記憶されている回折格子層が設けられてなる再生専用ホログラム媒体に記録された画像情報を含む情報を再生する再生専用ホログラム媒体用ドライブであって、
前記回折格子層からの再生光を外部に射出させるための窓部と、前記再生専用ホログラム媒体を装填するための媒体装填口が筐体表面に設けられており、かつ前記筐体内には前記媒体装填口に通じる媒体装填スペースが設けられていると共に、
前記専用ホログラム媒体の所望のコア層に光を入射させる光ヘッドと、
前記専用ホログラム媒体から出射する再生光を検出する光検出器と、
前記光検出器の検出出力に基づいて媒体に記録された情報の再生処理及び各部の制御を行う制御部とを有し、
前記制御部は、前記専用ホログラム媒体から出射する再生光により画像情報以外の情報及び画像情報を再生するように前記光ヘッドを駆動制御することを特徴とする再生専用ホログラム媒体用ドライブ。
【請求項２】
コア層とクラッド層とが交互に積層され、前記コア層とクラッド層との境界に情報が記憶されている回折格子層が設けられてなる再生専用ホログラム媒体、及び該再生ホログラム媒体に記録された情報を再生する請求項１に記載の再生専用ホログラム媒体用ドライブの使用方法であって、
前記再生専用ホログラム媒体に画像情報以外の情報及び画像情報を記録しておき、
前記再生ホログラム媒体用ドライブにより、前記画像情報以外の情報及び画像情報を再生させることを特徴とする再生用ホログラム媒体及び再生専用ホログラム媒体用ドライブの使用方法。
【請求項３】
コア層とクラッド層とが交互に積層され、前記コア層とクラッド層との境界に情報が記憶されている回折格子層が設けられてなる再生専用ホログラム媒体に記録された画像情報を含む情報を再生する再生専用ホログラム媒体用ドライブであって、
前記回折格子層からの再生光を外部に射出させるための窓部を兼用する液晶ディスプレイパネルと、前記再生専用ホログラム媒体を装填するための媒体装填口が筐体表面に設けられており、かつ前記筐体内には前記媒体装填口に通じる媒体装填スペースが設けられていると共に、
前記専用ホログラム媒体の所望のコア層に光を入射させる光ヘッドと、
前記専用ホログラム媒体から出射する再生光を検出する光検出器と、
前記光検出器の検出出力に基づいて媒体に記録された情報の再生処理及び前記液晶表示パネルの駆動制御を含む各部の制御を行う制御部とを有し、
前記制御部は、前記専用ホログラム媒体から出射する再生光により画像情報以外の情報及び画像情報を再生するように前記光ヘッドを駆動制御することを特徴とする再生専用ホログラム媒体用ドライブ。
【請求項４】
コア層とクラッド層とが交互に積層され、前記コア層とクラッド層との境界に情報が記憶されている回折格子層が設けられてなる再生専用ホログラム媒体、及び該再生ホログラム媒体に記録された情報を再生する請求項３に記載の再生専用ホログラム媒体用ドライブの使用方法であって、
前記再生専用ホログラム媒体に画像情報以外の情報及び画像情報を記録しておき、
前記再生ホログラム媒体用ドライブにより、前記画像情報以外の情報及び画像情報を再生させることを特徴とする再生用ホログラム媒体及び再生専用ホログラム媒体用ドライブの使用方法。
【請求項５】
コア層とクラッド層とが交互に積層され、前記コア層とクラッド層との境界に情報が記憶されている回折格子層が設けられてなる再生専用ホログラム媒体に記録された画像情報を含む情報を再生する再生専用ホログラム媒体用ドライブであって、
前記回折格子層からの再生光を外部に射出させるための窓部を兼用する、前記再生専用ホログラム媒体を装填するための媒体装填口が筐体表面に設けられており、かつ前記筐体内には前記媒体装填口に通じる媒体装填スペースが設けられていると共に、
前記専用ホログラム媒体の所望のコア層に光を入射させる光ヘッドと、
前記専用ホログラム媒体から出射する再生光を検出する光検出器と、
前記光検出器の検出出力に基づいて媒体に記録された情報の再生処理及び各部の制御を行う制御部とを有し、
前記制御部は、前記専用ホログラム媒体から出射する再生光により画像情報以外の情報及び画像情報を再生するように前記光ヘッドを駆動制御することを特徴とする再生専用ホログラム媒体用ドライブ。
【請求項６】
コア層とクラッド層とが交互に積層され、前記コア層とクラッド層との境界に情報が記憶されている回折格子層が設けられてなる再生専用ホログラム媒体、及び該再生ホログラム媒体に記録された情報を再生する請求項５に記載の再生専用ホログラム媒体用ドライブの使用方法であって、
前記再生専用ホログラム媒体に画像情報以外の情報及び画像情報を記録しておき、
前記再生ホログラム媒体用ドライブにより、前記画像情報以外の情報及び画像情報を再生させることを特徴とする再生用ホログラム媒体及び再生専用ホログラム媒体用ドライブの使用方法。
【発明の詳細な説明】
【技術分野】
【０００１】
本発明は、再生専用ホログラム媒体用ドライブ及び専用再生ホログラム媒体用ドライブの使用方法に関する。
【背景技術】
【０００２】
従来の再生専用ホログラム媒体としての積層ホログラムＲＯＭについて以下に説明する(例えば、特許文献１参照)。
図６は、積層ホログラムＲＯＭ媒体１０１の側面(断面)を示す図であり、コア層１０２とクラッド層１０３とが交互に積層され、コア層１０２とクラッド層１０３との境界に回折格子層１０４が設けられた構造を成している。
回折格子層１０４には情報が例えば凹凸形状によって記憶されている。
【０００３】
図７は積層ホログラムＲＯＭドライブ１０５の側面を示す図であり、積層ホログラムＲＯＭドライブ１０５は、光ヘッド１０６と、光検出器１０７とから構成されている。光ヘッド１０６は積層ホログラムＲＯＭ媒体１０１の所望のコア層に入射光１０８を入射する機能を持つ。１１０は、積層ホログラムＲＯＭ媒体１０１を装填するための媒体装填口であり、１１１は、媒体が収容される媒体装填スペースである。
【０００４】
光ヘッド１０６により積層ホログラムＲＯＭ媒体１０１の所望のコア層１０２に入射光１０８を入射させると、光は回折格子層１０４に記憶されている情報に依存して回折され、再生光１０９が積層ホログラムＲＯＭ媒体１０１の上面に出射する。
【０００５】
これを光検出器１０７で検出すると積層ホログラムＲＯＭ媒体１０１に蓄積された情報を再生することができる。積層ホログラムＲＯＭ媒体１０１は小型大容量化でき、また積層ホログラムＲＯＭドライブ１０５は構成、構造が単純なため小型化できる。積層ホログラムＲＯＭ媒体は将来の小型大容量なコンテンツ配布用メモリとして期待されている。 
【特許文献１】特開平１１−３４５４１９号公報
【発明の開示】
【発明が解決しようとする課題】
【０００６】
ところで、従来の再生専用ホログラム媒体としての積層ホログラムＲＯＭ媒体にあっては、目的に応じて各種の固定データがＲＯＭ情報として記録されるが、特定の用途、例えば、音楽再生用として使用する積層ホログラムＲＯＭ媒体には、音楽データのみが記録されており、再生した際に楽曲が再生されるだけでユーザにとっては面白みに欠けるということがある。
【０００７】
本発明は、このような事情に鑑みてなされたものであり、再生専用ホログラム媒体に特定の用途のためのデータ以外の画像情報を記録しておき、これを再生することにより面白みをもたせるようにした再生専用ホログラム媒体用ドライブ及び再生専用ホログラム媒体用ドライブの使用方法、および表示装置を提供することを目的とする。
【課題を解決するための手段】
【０００８】
上記目的を達成するために請求項１に記載の発明は、コア層とクラッド層とが交互に積層され、前記コア層とクラッド層との境界に情報が記憶されている回折格子層が設けられてなる再生専用ホログラム媒体に記録された画像情報を含む情報を再生する再生専用ホログラム媒体用ドライブであって、前記回折格子層からの再生光を外部に射出させるための窓部と、前記再生専用ホログラム媒体を装填するための媒体装填口が筐体表面に設けられており、かつ前記筐体内には前記媒体装填口に通じる媒体装填スペースが設けられていると共に、前記専用ホログラム媒体の所望のコア層に光を入射させる光ヘッドと、前記専用ホログラム媒体から出射する再生光を検出する光検出器と、前記光検出器の検出出力に基づいて媒体に記録された情報の再生処理及び各部の制御を行う制御部とを有し、前記制御部は、前記専用ホログラム媒体から出射する再生光により画像情報以外の情報及び画像情報を再生するように前記光ヘッドを駆動制御することを特徴とする。
【０００９】
また、請求項２に記載の発明は、コア層とクラッド層とが交互に積層され、前記コア層とクラッド層との境界に情報が記憶されている回折格子層が設けられてなる再生専用ホログラム媒体、及び該再生ホログラム媒体に記録された情報を再生する請求項１に記載の再生専用ホログラム媒体用ドライブの使用方法であって、  前記再生専用ホログラム媒体に画像情報以外の情報及び画像情報を記録しておき、  前記再生ホログラム媒体用ドライブにより、前記画像情報以外の情報及び画像情報を再生させることを特徴とする。
【００１０】
また、請求項３に記載の発明は、コア層とクラッド層とが交互に積層され、前記コア層とクラッド層との境界に情報が記憶されている回折格子層が設けられてなる再生専用ホログラム媒体に記録された画像情報を含む情報を再生する再生専用ホログラム媒体用ドライブであって、前記回折格子層からの再生光を外部に射出させるための窓部を兼用する液晶ディスプレイパネルと、前記再生専用ホログラム媒体を装填するための媒体装填口が筐体表面に設けられており、かつ前記筐体内には前記媒体装填口に通じる媒体装填スペースが設けられていると共に、前記専用ホログラム媒体の所望のコア層に光を入射させる光ヘッドと、前記専用ホログラム媒体から出射する再生光を検出する光検出器と、前記光検出器の検出出力に基づいて媒体に記録された情報の再生処理及び前記液晶表示パネルの駆動制御を含む各部の制御を行う制御部とを有し、前記制御部は、前記専用ホログラム媒体から出射する再生光により画像情報以外の情報及び画像情報を再生するように前記光ヘッドを駆動制御することを特徴とする。
【００１１】
また、請求項４に記載の発明は、コア層とクラッド層とが交互に積層され、前記コア層とクラッド層との境界に情報が記憶されている回折格子層が設けられてなる再生専用ホログラム媒体、及び該再生ホログラム媒体に記録された情報を再生する請求項３に記載の再生専用ホログラム媒体用ドライブの使用方法であって、  前記再生専用ホログラム媒体に画像情報以外の情報及び画像情報を記録しておき、  前記再生ホログラム媒体用ドライブにより、前記画像情報以外の情報及び画像情報を再生させることを特徴とする。
【００１２】
また、請求項５に記載の発明は、コア層とクラッド層とが交互に積層され、前記コア層とクラッド層との境界に情報が記憶されている回折格子層が設けられてなる再生専用ホログラム媒体に記録された画像情報を含む情報を再生する再生専用ホログラム媒体用ドライブであって、前記回折格子層からの再生光を外部に射出させるための窓部を兼用する、前記再生専用ホログラム媒体を装填するための媒体装填口が筐体表面に設けられており、かつ前記筐体内には前記媒体装填口に通じる媒体装填スペースが設けられていると共に、前記専用ホログラム媒体の所望のコア層に光を入射させる光ヘッドと、前記専用ホログラム媒体から出射する再生光を検出する光検出器と、前記光検出器の検出出力に基づいて媒体に記録された情報の再生処理及び各部の制御を行う制御部とを有し、前記制御部は、前記専用ホログラム媒体から出射する再生光により画像情報以外の情報及び画像情報を再生するように前記光ヘッドを駆動制御することを特徴とする。
【００１３】
また、請求項６に記載の発明は、コア層とクラッド層とが交互に積層され、前記コア層とクラッド層との境界に情報が記憶されている回折格子層が設けられてなる再生専用ホログラム媒体、及び該再生ホログラム媒体に記録された情報を再生する請求項５に記載の再生専用ホログラム媒体用ドライブの使用方法であって、  前記再生専用ホログラム媒体に画像情報以外の情報及び画像情報を記録しておき、  前記再生ホログラム媒体用ドライブにより、前記画像情報以外の情報及び画像情報を再生させることを特徴とする。
【発明の効果】
【００１４】
以上説明したように、請求項１に記載の再生専用ホログラム媒体用ドライブによれば、再生専用ホログラム媒体には画像情報を含む情報が記録されており、制御部は、前記専用ホログラム媒体から出射する再生光により画像情報以外の情報及び画像情報を再生するように前記光ヘッドを駆動制御するようにしたので、前記画像情報の再生により、面白みを持たせることができる。
【００１５】
また、請求項２に記載の再生専用ホログラム媒体及び該再生ホログラム媒体に記録された情報を再生する請求項１に記載の再生専用ホログラム媒体用ドライブの使用方法によれば、再生専用ホログラム媒体に画像情報以外の情報及び画像情報を記録しておき、前記再生ホログラム媒体用ドライブにより、前記画像情報以外の情報及び画像情報を再生するようにしたので、前記画像情報の再生により、面白みを持たせることができる。
【００１６】
また、請求項３に記載の再生専用ホログラム媒体用ドライブによれば、コア層とクラッド層とが交互に積層され、前記コア層とクラッド層との境界に情報が記憶されている回折格子層が設けられてなる再生専用ホログラム媒体に記録された画像情報を含む情報を再生する再生専用ホログラム媒体用ドライブであって、前記回折格子層からの再生光を外部に射出させるための窓部を兼用する液晶ディスプレイパネルを設け、再生専用ホログラム媒体を装填時に、画像情報を含む情報が記録された前記再生専用ホログラム媒体の上面に前記液晶ディスプレイパネルを重ねて一体化するようにしたので、再生専用ホログラム媒体からの再生像による表示と、液晶ディスプレイによる表示とを行うことができ、表示装置としての多機能化、利便性の向上が図れる。
【００１７】
また、再生専用ホログラム媒体に、画像情報以外の情報及び画像情報を記録しておき、画像情報を再生することにより、面白みを持たせることができる。
【００１８】
また、請求項４に記載の再生専用ホログラム媒体及び該再生ホログラム媒体に記録された情報を再生する請求項３に記載の再生専用ホログラム媒体用ドライブの使用方法によれば、再生専用ホログラム媒体に画像情報以外の情報及び画像情報を記録しておき、前記再生ホログラム媒体用ドライブにより、前記画像情報以外の情報及び画像情報を再生するようにしたので、前記画像情報の再生により、面白みを持たせることができる。
【００１９】
また、請求項５に記載の再生専用ホログラム媒体用ドライブによれば、コア層とクラッド層とが交互に積層され、前記コア層とクラッド層との境界に情報が記憶されている回折格子層が設けられてなる再生専用ホログラム媒体に記録された画像情報を含む情報を再生する再生専用ホログラム媒体用ドライブであって、前記回折格子層からの再生光を外部に射出させるための窓部を兼用する、前記再生専用ホログラム媒体を装填するための媒体装填口が筐体表面に設け、再生専用ホログラム媒体には画像情報を含む情報が記録されており、制御部は、前記専用ホログラム媒体から出射する再生光により画像情報以外の情報及び画像情報を再生するように前記光ヘッドを駆動制御するようにしたので、前記画像情報の再生により、面白みを持たせることができる。
【００２０】
また、請求項６に記載の再生専用ホログラム媒体及び該再生ホログラム媒体に記録された情報を再生する請求項５に記載の再生専用ホログラム媒体用ドライブの使用方法によれば、再生専用ホログラム媒体に画像情報以外の情報及び画像情報を記録しておき、前記再生ホログラム媒体用ドライブにより、前記画像情報以外の情報及び画像情報を再生するようにしたので、前記画像情報の再生により、面白みを持たせることができる。
【発明を実施するための最良の形態】
【００２１】
以下、本発明の実施形態を、図面を参照して詳細に説明する。
まず再生専用ホログラム媒体としての積層ホログラムＲＯＭの構成について
説明する。図１は、積層ホログラムＲＯＭ媒体１の側面(断面)を示す図である。積層ホログラム媒体１は、１つのコア層２と、コア層２を挟むように配置した２つのクラッド層３と、コア層２とクラッド層３との境界、あるいはコア層２内に設けた１つの回折格子層４とから構成されている。
【００２２】
図２は、積層ホログラムＲＯＭ媒体１の実施例であり、側面（断面）を示す図である。この媒体１は、複数のコア層２と、コア層２を挟むように配置した複数のクラッド層３と、コア層２とクラッド層３との境界、あるいはコア層２内に設けた複数の回折格子層４とから構成されている。図１に示す媒体に比して図２に示す媒体１の方が大容量化できる点で有利である。
【００２３】
また、回折格子層４には情報が例えば凹凸形状、あるいは屈折率分布として記憶されており、コア層２に入射光８を入射させると、光は回折格子層４に記憶されている情報に依存して回折され、媒体１の上面(および下面)に再生光９が出射する。コア層２の厚さは１μｍ程度、クラッド層３の厚さは１０μｍ程度である。
【００２４】
コア層２への入射光８の入れ方としては、媒体１の端面から入射させる方法、各コア層２に光結合部を設け媒体1の上面あるいは下面から入射させる方法、コア層２にミラー面を設け媒体１の上面あるいは下面から入射させる方法が挙げられ、これらの各方法は同様の効果を奏する。但し、媒体の端面から入射させる方法は媒体１に光結合部、ミラー面などを設ける必要がない点で有利である。
【００２５】
本実施形態では、図１、２に記載の積層ホログラムＲＯＭ媒体１の回折格子層には、画像情報を含む情報が記録されており、画像情報は、画像情報以外の情報に関連する内容のものでもよいし、関連しない内容のものでもよい。この点は、他の実施形態についても同様である。具体的には、は、例えば、音楽データであり、「画像情報」は、この音楽データに関連するミュージシャンがニコッと笑った顔を示す画像情報であるものとする。
なお、「画像情報以外の情報」は、音楽データに限定されない。この点についても他の実施形態と同様である。
また、同一の回折格子層４（またはコア層２）に入射光を入射した際、画像情報と画像情報以外の情報が混成し、ノイズの原因となる場合には、画像情報を蓄積する層と、画像情報以外の情報を蓄積する層とを分離することが有効である。
【００２６】
次に、本発明の第１実施形態に係る再生専用ホログラム媒体用ドライブの構成を図３に示す。同図において、５は積層ホログラムＲＯＭ媒体の再生に用いる再生専用ホログラム媒体用ドライブであり、少なくとも光ヘッド６と、光検出器７と、制御部９とを有している。
【００２７】
また、再生専用ホログラム媒体用ドライブ５は、その構成要素として、積層ホログラムＲＯＭ媒体１を再生専用ホログラム媒体用ドライブ５内に装填する入り口である媒体装填口１０、再生専用ホログラム媒体１が装填されるスペースである媒体装填スペース１１を含んでいる。
さらに、再生専用ホログラム媒体用ドライブ５は、筐体５Ａの一面上に回折格子層４からの再生光を外部に射出させるための透明の窓部８が設けられている。
【００２８】
光ヘッド６は積層ホログラムＲＯＭ媒体１の所望のコア層２に入射光１２を入射する機能を持つ。例えば、入射光１２の発生源であるレーザ光源、入射光１２をコア層２に集光させる機能をもつ集光レンズ、入射光１２を所望のコア層２の位置、角度で入射させる機能を持つアクチュエータなどから構成される。また、特定のコア層２の位置、角度に入射光１２を移動、停止させるサーボ機能を有する。
光検出器７は積層ホログラムＲＯＭ媒体１から出射した再生光１３を検出する機能を持つ。必要に応じて移動機構を有する。
【００２９】
光検出器７は、ＣＯＤ、ＣＭＯＳなど二次元光検出器、ラインセンサなど一次元光検出器、フォトダイオードなどが例として挙げられる。再生光１３は二次元データとして出射されるため一次元光検出器、さらに二次元光検出器ではこれをより短時間で検出できるという効果がある。本実施形態では、光検出器７は、積層ホログラムＲＯＭ媒体１の下方に出射する再生光を検出し、積層ホログラムＲＯＭ媒体１の上方に出射する再生光は、窓部８を透過して、外部で再生像が結像されるようになっている。
【００３０】
なお、光検出器７の配置は、図３に示す例に限らず、回折格子層からの再生光を検出できる位置であればよく、積層ホログラムＲＯＭ媒体１の上方に設けてもよい。
さらに、光検出器を二台、設ける場合には、積層ホログラムＲＯＭ媒体１の上方、下方にそれぞれ、一台ずつ設けるようにしてもよい。
【００３１】
また、例えば、積層ホログラムＲＯＭ媒体１の上方、下方に出射する二つの再生光の一方を、積層ホログラムＲＯＭ媒体１の再生光の他方と積層ホログラムＲＯＭ媒体１の同じ側に光学手段により導くことにより積層ホログラムＲＯＭ媒体１の上方、下方の一方に配置するようにしてもよい。
制御部９は、光検出器７、８の検出出力に基づいて積層ホログラムＲＯＭ媒体１に記録されたデータの再生処理を行う機能及び光ヘッド６を含む各部の制御を行う機能を有している。
制御部９は、画像情報以外の情報としての音楽データの再生処理に先立ち、最初に該音楽データに関連する画像情報（例えば、ミュージシャンの顔を示す画像）を再生するように光ヘッド６を駆動制御する。
なお、本実施形態では、制御部９は、画像情報以外の情報としての音楽データより先に画像情報を再生するようにしているが、本発明としては、この再生順序は、これに限ル必要はない。例えば、音楽データの再生中に画像情報を再生してもよいし、音楽データの再生終了後に画像データを再生してもよい。この点は、他の実施形態についても同様である。
【００３２】
以下に、再生専用ホログラム媒体用ドライブ５の動作について説明する。
上記構成において、制御部９は、積層ホログラムＲＯＭ媒体１から出射する再生光により画像情報以外の情報としての、音楽データを再生する際に、該音楽データの再生処理に先立ち、最初に該音楽データに関連する画像情報（ミュージシャンの顔を示す画像）を再生するように光ヘッド６を駆動制御する。
【００３３】
この結果、光ヘッド６によりの所望のコア層に入射光１２を入射させると、再生光１３が例えば媒体１の上面及び下面に出射し、上方に出射した再生光により、ユーザは、上記音楽データに関連するミュージシャンの笑った顔が窓部８から確認でき、音楽データの内容を連想することができる。その後、音楽データが制御部９により再生処理される。すなわち、その後、積層ホログラムＲＯＭ媒体１より射出される再生光を光検出器７で検出し、該検出出力を制御部９で処理すると積層ホログラムＲＯＭ媒体１に記録された音楽データを再生することができる。
再生専用ホログラム媒体としての積層ホログラムＲＯＭ媒体１は小型大容量化でき、また再生専用ホログラム媒体用ドライブ５も構成、構造が単純なため小型化できる。
【００３４】
本発明の第１実施形態に係る再生専用ホログラム媒体用ドライブによれば、再生専用ホログラム媒体には画像情報を含む情報が記録されており、制御部は、前記専用ホログラム媒体から出射する再生光により画像情報以外の情報を再生する際に、該画像情報以外の情報の再生処理に先立ち、最初に該画像情報以外の情報に関連する画像情報を再生するように前記光ヘッドを駆動制御するようにしたので、前記画像情報の再生により、ユーザは前記画像情報以外の情報を連想することができ、面白みを持たせることができる。
また、画像情報以外の情報と、これに関連しない画像情報が再生される場合においても、ユーザに意外性を与える等の面白みをもたせることができる。
【００３５】
次に、本発明の第２実施形態に係る再生専用ホログラム媒体用ドライブの構成を図４に示す。本実施形態に係る再生専用ホログラム媒体用ドライブ５０が第１実施形態に係る再生専用ホログラム媒体用ドライブ５（図３）と構成上、異なるのは、コア層とクラッド層とが交互に積層され、前記コア層とクラッド層との境界に情報が記憶されている回折格子層が設けられてなる再生専用ホログラム媒体に記録された画像情報を含む情報を再生する再生専用ホログラム媒体用ドライブにおいて、前記回折格子層からの再生光を外部に射出させるための窓部を兼用する液晶ディスプレイパネル５２を設け、再生専用ホログラム媒体（積層ホログラムＲＯＭ媒体１）を装填時に、前記再生専用ホログラム媒体の上面に液晶ディスプレイパネル５２が重なり一体化するように構成し、かつ制御部９により、液晶ディスプレイパネルの表示制御も行うようにした点であり、その他の構成は同一であるので、同一の機能を有する構成要素には同一の参照符号を付し、重複する説明は省略する。
【００３６】
積層ホログラムＲＯＭ媒体１には、コア層とクラッド層とが交互に積層され、前記コア層とクラッド層との境界に情報が記録されている回折格子層が設けられている。図３の第１実施形態と同様に画像情報を含む情報が記録されている。
【００３７】
この情報は、画像情報以外のデータと、該画像情報以外のデータと関連する画像情報である。具体的には、例えば、音楽データと、該音楽データに関連するミュージシャンの顔を示す画像データがこれに相当する。
画像情報を含む情報が記録された積層ホログラムＲＯＭ媒体２１の上面に液晶ディスプレイパネル２２を重ねて一体化しても、積層ホログラムＲＯＭ媒体２１及び液晶ディスプレイパネル２２が共に、透明であるため、互いに干渉することはない。
【００３８】
本発明の第２実施形態に係る再生専用ホログラム媒体ドライブでは、このように構成することにより液晶表示装置としての機能と、再生専用ホログラム媒体再生装置としての機能を併有させた多機能化を図った表示装置が得られ、しかも実装サイズの小型化が図れる。
【００３９】
次に本発明の第３実施形態に係る再生専用ホログラム媒体用ドライブの構成を図４に示す。本実施形態に係る再生専用ホログラム媒体用ドライブ６０が第１実施形態に係る再生専用ホログラム媒体用ドライブ５（図３）と構成上、異なるのは、前記回折格子層からの再生光を外部に射出させるための窓部を兼用する、前記再生専用ホログラム媒体を装填するための媒体装填口６４を筐体表面に設け、再生専用ホログラム媒体としての積層ホログラムＲＯＭ媒体１を媒体装填口６４に嵌め込むように装填可能にすると共に、積層ホログラムＲＯＭ媒体１からの再生光１３をスルーの状態で外部に射出するように構成した点であり、その他の個性は第１実施形態に係る再生専用ホログラム媒体用ドライブ５と同様であるので、同一の構成要素には同一の符号を付し、重複する説明は省略する。なお、図５にいて、６２は、媒体装填台である。
【００４０】
本発明の第３実施形態に係る再生専用ホログラム媒体用ドライブによれば、コア層とクラッド層とが交互に積層され、前記コア層とクラッド層との境界に情報が記憶されている回折格子層が設けられてなる再生専用ホログラム媒体に記録された画像情報を含む情報を再生する再生専用ホログラム媒体用ドライブにおいて、前記回折格子層からの再生光を外部に射出させるための窓部を兼用する、前記再生専用ホログラム媒体を装填するための媒体装填口が筐体表面に設け、再生専用ホログラム媒体には画像情報を含む情報が記録されており、制御部は、前記専用ホログラム媒体から出射する再生光により画像情報以外の情報を再生する際に、該画像情報以外の情報の再生処理に先立ち、最初に該画像情報以外の情報に関連する画像情報を再生するように前記光ヘッドを駆動制御するようにしたので、前記画像情報の再生により、ユーザは前記画像情報以外の情報を連想することができ、面白みを持たせることができる。
【図面の簡単な説明】
【００４１】
【図１】本発明に係る再生専用ホログラム媒体用ドライブに使用される再生専用ホログラム媒体の一例の構成を示す図。
【図２】本発明に係る再生専用ホログラム媒体用ドライブに使用される再生専用ホログラム媒体の他の例の構成を示す図。
【図３】本発明の第１実施形態に係る再生専用ホログラム媒体用ドライブの構成を示す図。
【図４】本発明の第２実施形態に係る再生専用ホログラム媒体用ドライブの構成を示す図。
【図５】本発明の第３実施形態に係る再生専用ホログラム媒体用ドライブの構成を示す図。
【図６】従来の再生専用ホログラム媒体の構成を示す側面（断面）図。
【図７】従来の再生専用ホログラム媒体用ドライブの構成を示す図。
【符号の説明】
【００４２】
１…積層ホログラムＲＯＭ媒体
２…コア層
３…クラッド層
４…回折格子層
５、５０、６０…再生専用ホログラム媒体用ドライブ
６…光ヘッド
７…光検出器
８…窓部
９…制御部
５２…液晶ディスプレイパネル
【図１】
2005353197.tif 000003
【図２】
2005353197.tif 000004
【図３】
2005353197.tif 000005
【図４】
2005353197.tif 000006
【図５】
2005353197.tif 000007
【図６】
2005353197.tif 000008
【図７】
2005353197.tif 000009